(57)【要約】      （修正有）【課題】本体ケースとバンドとの一体感が得られ、且つバンドに上下方向の外力が加わっても、バンド取付部に対するバンドの取付部分の位置ずれを防ぐバンド取付構造を提供する。【解決手段】腕時計ケース１の両側部に設けられたバンド取付部６と、このバンド取付部６が嵌合する嵌合凹部１０を有する時計バンド２と、バンド取付部６の上面側に設けられた第１係止突起部７と、バンド取付部６の下面側に設けられた第２係止突起部８と、嵌合凹部１０内に設けられてバンド取付部６の第１係止突起部７が係合する第１係合凹部１１と、嵌合凹部１０内に設けられてバンド取付部６の第２係止突起部８が係合する第２係合凹部１２とを備えた。従って、腕時計ケース１と時計バンド２とが一体的に取り付けられたような一体感が得られ、且つ時計バンド２に上下方向の外力が加わっても、バンド取付部に対するバンドの取付部分の位置ずれを防ぐことができる。【選択図】図２
2008281344.tif 000002
【特許請求の範囲】
【請求項１】
本体ケースの両側部から突出して設けられたバンド取付部にバンドを取り付けるバンド取付構造において、
前記バンド取付部の上面側に突出して設けられた第１係止突起部と、
前記バンド取付部の下面側に突出して設けられた第２係止突起部と、
前記バンド取付部側に位置する前記バンドの端部に設けられて前記バンド取付部が嵌合する嵌合凹部と、
この嵌合凹部内における上部側に設けられて前記バンド取付部の前記第１係止突起部が係合する第１係合部と、
前記嵌合凹部内における下部側に設けられて前記バンド取付部の前記第２係止突起部が係合する第２係合部と
を備えたことを特徴とするバンド取付構造。
【請求項２】
前記バンドの前記第２係合部が係合する前記バンド取付部の前記第２係止突起部の両側部には、傾斜部がそれぞれ設けられていることを特徴とする請求項１に記載のバンド取付構造。
【請求項３】
前記バンド取付部の突出した先端面における中間部には、係合溝部が設けられ、前記バンドの前記嵌合凹部内における奥部には、前記バンド取付部の前記係合溝部に圧入する硬質の圧入部が設けられていることを特徴とする請求項１または２バンド取付構造。
【発明の詳細な説明】
【技術分野】
【０００１】
この発明は、本体ケースにバンドを取り付けるためのバンド取付構造に関する。
【背景技術】
【０００２】
従来、腕時計ケースに時計バンドを取り付けるバンド取付構造としては、特許文献１に記載されているように、腕時計ケースの両側部に設けられたバンド取付部に合成樹脂製の先かん部材を第１のばね棒によって取り付けると共に、この先かん部材に金属製のカバー部材を取り付け、このカバー部材に時計バンドを第２のばね棒で取り付けるように構成したものがある。
【特許文献１】特開２００４−１４４５３６号
【０００３】
この場合、腕時計ケースの両側部にそれぞれ設けられたバンド取付部の上面部には、フック部が設けられている。また、先かん部材には、バンド取付部が嵌合する嵌合凹部が設けられており、この先かん部材の嵌合凹部における上部内面には、バンド取付部のフック部に係合する係合部が設けられていると共に、この先かん部材の嵌合凹部における下部には、腕時計ケースの下面に設けられた裏蓋の外周部における下面に当接する舌片部が設けられている。
【発明の開示】
【発明が解決しようとする課題】
【０００４】
このような従来のバンド取付構造では、腕時計ケースのバンド取付部に先かん部材の嵌合凹部を嵌合させて、先かん部材をバンド取付部に第１のばね棒で取り付け、この先かん部材に取り付けられたカバー部材に時計バンドを第２のばね棒で取り付けた構成であるから、腕時計ケースと時計バンドとが一体的に取り付けられたような一体感が得られない。
【０００５】
また、このような従来のバンド取付構造では、腕時計ケースのバンド取付部に先かん部材を取り付け、この先かん部材に取り付けられたカバー部材に時計バンドを取り付けた状態で、時計バンドに上方からの外力が加わっても、バンド取付部のフック部に先かん部材の係合部が係合し、且つ先かん部材の舌片部が裏蓋の下面に当接するので、先かん部材とバンド取付部との間に隙間が生じないようにすることができるが、時計バンドに下方からの外力が加わると、先かん部材の舌片部が裏蓋の下面から離れる方向に変位して位置ずれを起こすので、舌片部と裏蓋との間に隙間が生じやすいという問題がある。
【０００６】
この発明が解決しようとする課題は、本体ケースとバンドとの一体感が得られ、且つバンドに上下方向の外力が加わっても、バンド取付部に対するバンドの取付部分の位置ずれを防ぐことができるバンド取付構造を提供することである。
【課題を解決するための手段】
【０００７】
この発明は、上記課題を解決するために、次のような構成要素を備えている。
請求項１に記載の発明は、本体ケースの両側部から突出して設けられたバンド取付部にバンドを取り付けるバンド取付構造において、
前記バンド取付部の上面側に突出して設けられた第１係止突起部と、前記バンド取付部の下面側に突出して設けられた第２係止突起部と、前記バンド取付部側に位置する前記バンドの端部に設けられて前記バンド取付部が嵌合する嵌合凹部と、この嵌合凹部内における上部側に設けられて前記バンド取付部の前記第１係止突起部が係合する第１係合部と、前記嵌合凹部内における下部側に設けられて前記バンド取付部の前記第２係止突起部が係合する第２係合部とを備えたことを特徴とするバンド取付構造である。
【０００８】
請求項２に記載の発明は、前記バンドの前記第２係合部が係合する前記バンド取付部の前記第２係止突起部の両側部に、傾斜部がそれぞれ設けられていることを特徴とする請求項１に記載のバンド取付構造である。
【０００９】
請求項３に記載の発明は、前記バンド取付部の突出した先端面における中間部に、係合溝部が設けられ、前記バンドの前記嵌合凹部内における奥部には、前記バンド取付部の前記係合溝部に圧入する硬質の圧入部が設けられていることを特徴とする請求項１または２バンド取付構造である。
【発明の効果】
【００１０】
この発明によれば、本体ケースの両側部に設けられたバンド取付部にバンドの嵌合凹部を嵌合させて、バンド取付部の第１係止突起部を嵌合凹部の第１係合部に係合させると共に、バンド取付部の第２係止突起部を嵌合凹部の第２係合部に係合させることにより、従来例のような先かん部材やカバー部材を用いず、バンドを直接、本体ケースのバンド取付部に取り付けることができ、これにより本体ケースとバンドとが一体的に取り付けられたような一体感を得ることができる。
【００１１】
また、この発明によれば、バンド取付部にバンドを取り付けた状態で、バンドに上方からの外力が加わっても、バンド取付部の第１係止突起部とバンドの第１係合部との係合により、バンド取付部に対しバンドの嵌合凹部における上部側が変位して位置ずれを起こすことがなく、またバンドに下方からの外力が加わっても、バンド取付部の第２係止突起部とバンドの第２係合部との係合により、バンド取付部に対しバンドの嵌合凹部における下部側が変位して位置ずれを起こすことがない。このため、バンドに上下方向の外力が加わっても、バンドとバンド取付部との間に、位置ずれによる隙間が生じるのを確実に防ぐことができる。
【発明を実施するための最良の形態】
【００１２】
（実施形態１）
以下、図１〜図８を参照して、この発明のバンド取付構造を腕時計に適用した実施形態１について説明する。
この腕時計のバンド取付構造は、図１および図２に示すように、腕時計ケース１の両側部に合成樹脂製の時計バンド２を一体的に取り付ける構成になっている。この場合、腕時計ケース１は、図２に示すように、その上部に時計ガラス３が取り付けられ、下面に裏蓋４が取り付けられ、内部に時計モジュール（図示せず）が組み込まれるように構成されている。
【００１３】
この腕時計ケース１の上部外周には、合成樹脂製のベゼル５が設けられており、この腕時計ケース１の両側部、例えば１２時側の側部と６時側の側部とには、図１および図２に示すように、バンド取付部６がそれぞれ設けられている。このバンド取付部６は、図４〜図６に示すように、腕時計ケース１の側面から裏蓋４の下方に向けて斜めに突出して設けられている。このバンド取付部６の下端部側における上面には、第１係止突起部７が設けられており、またこのバンド取付部６の下端部側における下面には、第２係止突起部８が設けられている。
【００１４】
この場合、第１係止突起部７は、図２および図６に示すように、バンド取付部６の上面に対しほぼ垂直に突出して設けられ、この突出した部分に垂直面７ａが形成され、この突出した先端側（図６では右端部側）からバンド取付部６の下端部側に亘って円弧状の曲面７ｂが形成された構成になっている。また、第２係止突起部８は、図２、図５、図６に示すように、バンド取付部６の下面に対し鋭角に突出して設けられ、この突出した部分に鋭角面８ａが形成され、この突出した先端側（図６では下端部側）の下面がバンド取付部６の下面に連続する傾斜面８ｂに形成された構成になっている。
【００１５】
一方、時計バンド２は、図２および図３に示すように、腕時計ケース１のバンド取付部６側に位置する端部（図３では上端部）にバンド取付部６が嵌合する嵌合凹部１０が設けられている。この嵌合凹部１０は、図２に示すように、バンド取付部６に嵌合した際に、上部側の上端が腕時計ケース１の上部外周に設けられたベゼル５の外周面に当接し、下部側の上端が裏蓋４の下面外周に当接するように構成されている。この嵌合凹部１０内における上部内面には、図２に示すように、バンド取付部６の第１係止突起部７が係合する第１係合凹部１１が設けられている。また、この嵌合凹部１０内における下部内面には、バンド取付部６の第２係止突起部８が係合する第２係合凹部１２が設けられている。
【００１６】
この場合、第１係合凹部１１は、バンド取付部６の第１係止突起部７に係合した際に、その内面が第１係止突起部７の垂直面７ａに当接することにより、時計バンド２に上方からの外力が加わっても嵌合凹部１０の上部側が変位しないように構成されている。また、第２係合凹部１２は、バンド取付部６の第２係止突起部８に係合した際に、その内面が第２係止突起部８の鋭角面８ａに食い込んで当接することにより、時計バンド２に下方からの外力が加わっても嵌合凹部１０の下部側が変位しないように構成されている。
【００１７】
ところで、バンド取付部６の下部内面に設けられた第２係止突起部８の両側部には、図４および図６に示すように、バンド取付部６に対し時計バンド２を取り外しやすくするための傾斜部１３がそれぞれ設けられている。すなわち、この傾斜部１３は、時計バンド２の嵌合凹部１０を左右方向つまり３時側および９時側の両方向に繰り返しねじることにより、バンド取付部６の第２係止突起部８に対する時計バンド２の第２係合凹部１２の係合を解除するように構成されている。また、このバンド取付部６には、図４〜図６に示すように、バンド取付部６を左右に分割するスリット状の分割溝１４が設けられている。
【００１８】
また、時計バンド２は、図１、図７、図８に示すように、その嵌合凹部１０にバンド取付部６が嵌合した状態で、ビス１５によってバンド取付部６に取り付けられるように構成されている。すなわち、時計バンド２の嵌合凹部１０における両側部には、図３に示すように、ビス１５がそれぞれ挿入するビス挿入孔部１６が設けられており、バンド取付部６の両側部には、ねじ穴１７が時計バンド２のビス挿入孔部１６に対応して設けられている。
【００１９】
なお、腕時計ケース１の６時側に位置するベゼル５には、図１および図２に示すように、押釦スイッチ１８が設けられている。また、この腕時計ケース１の３時側および９時側に位置する各側面にも、図１、図７および図８に示すように、押釦スイッチ１９がそれぞれ設けられている。
【００２０】
このような腕時計のバンド取付構造によれば、腕時計ケース１のバンド取付部６に時計バンド２の嵌合凹部１０を嵌合させると、バンド取付部６の第１係止突起部７に時計バンド２の嵌合凹部１０内に設けられた第１係合凹部１１が係合すると共に、バンド取付部６の第２係止突起部８に時計バンド２の嵌合凹部１０内に設けられた第２係合凹部１２が係合するので、バンド取付部６に時計バンド２を取り付けることができる。
【００２１】
このため、従来例のような先かん部材やカバー部材を用いずに、時計バンド２を直接、腕時計ケース１のバンド取付部６に取り付けることができ、これにより腕時計ケース１と時計バンド２とが一体的に取り付けられたような一体感を得ることができる。この場合、時計バンド２は、ビス１５が時計バンド２のビス挿入孔部１６に挿入してバンド取付部６のねじ穴１７に螺着することにより、確実に且つ強固に腕時計ケース１のバンド取付部６に時計バンド２を取り付けることができる。
【００２２】
また、このバンド取付構造によれば、腕時計ケース１のバンド取付部６に時計バンド２を取り付けた状態で、図７に示すように、時計バンド２に上方からの外力が加わっても、バンド取付部６の第１係止突起部７と時計バンド２の第１係合凹部１１とが係合しているので、バンド取付部６に対し時計バンド２の嵌合凹部１０の上部側が変位して位置ずれを起こすことがない。また、図８に示すように、時計バンド２に下方からの外力が加わっても、バンド取付部６の第２係止突起部８と時計バンド２の第２係合凹部１２とが係合しているので、バンド取付部６に対し時計バンド２の嵌合凹部１０の下部側が変位して位置ずれを起こすことがない。
【００２３】
このため、バンド取付部６に時計バンド２を取り付けた状態で、時計バンド２に上下方向の外力が加わっても、バンド取付部６に対する時計バンド２の取付部分つまり時計バンド２の嵌合凹部１０の位置ずれを防ぐことができるので、時計バンド２とバンド取付部６との間に、位置ずれによる隙間が生じるのを確実に防ぐことができ、これによっても腕時計ケース１と時計バンド２とが一体的に取り付けられたような一体感を得ることができる。
【００２４】
この場合、バンド取付部６における第２係止突起部８の両側部に傾斜部１３がそれぞれ設けられていることにより、バンド取付部６に取り付けられた時計バンド２を取り外す際、バンド取付部６の第１、第２係止突起部７、８と時計バンド２の嵌合凹部１０内の第１、第２係合凹部１１、１２とが係合していても、時計バンド２の嵌合凹部１０を左右方向つまり３時側および９時側の両方向に繰り返しねじることにより、バンド取付部６の第２係止突起部８に対する時計バンド２の第２係合凹部１２の係合を両側の傾斜部１３によって解除することができるので、バンド取付部６から時計バンド２を容易に取り外することができる。
【００２５】
（実施形態２）
次に、図９および図１０を参照して、この発明のバンド取付を腕時計に適用した実施形態２について説明する。なお、図１〜図８に示された実施形態１と同一部分には同一符号を付して説明する。
この腕時計のバンド取付構造は、腕時計ケース１のバンド取付部６における下部側の先端面に係合溝部２０を設け、時計バンド２の嵌合凹部１０内の奥部に圧入凸部２１を設けた構成であり、これ以外は実施形態１とほぼ同じ構成になっている。
【００２６】
すなわち、腕時計ケースのバンド取付部６における下部先端面の中間部には、図９および図１０に示すように、係合溝部２０がバンド取付部６の左右方向（図１０では紙面の表裏方向）に連続してバンド取付部６を上下に分割し、且つバンド取付部６の上下方向に沿って食い込んだ状態で設けられている。また、時計バンド２の嵌合凹部１０内における奥壁部には、バンド取付部６の係合溝部２０に圧入する圧入凸部２１が設けられている。この圧入凸部２１は、時計バンド２よりも硬質の合成樹脂からなり、インサート成形や二色成形などにより時計バンド２の嵌合凹部１０内における奥壁部に一体に形成され、バンド取付部６の係合溝部２０内に圧入により嵌め込まれるように構成されている。
【００２７】
この場合にも、腕時計ケース１のバンド取付部６には、実施形態１と同様、第１係止突起部７と第２係止突起部８とが設けられていると共に、この第２係止突起部８の両側部に傾斜部１３がそれぞれ設けられている。また、時計バンド２の嵌合凹部１０内にも、実施形態１と同様、第１係合凹部１１と第２係合凹部１２とが設けられている。
【００２８】
このような腕時計のバンド取付構造では、実施形態１と同様、バンド取付部６に時計バンド２を取り付けることができるほか、腕時計ケース１のバンド取付部６における下部先端面の中間部に係合溝部２０を設け、時計バンド２の嵌合凹部１０内の奥部に硬質の圧入凸部２１を設けた構成であるから、腕時計ケース１のバンド取付部６に時計バンド２の嵌合凹部１０を嵌合させる際、時計バンド２の嵌合凹部１０に一体に形成された硬質の圧入凸部２１をバンド取付部６の係合溝部２０に圧入させて、バンド取付部６の第１係止突起部７と第２係止突起部８とに時計バンド２の嵌合凹部１０内に設けられた第１係合凹部１１と第２係合凹部１２とを係合させることができ、これによりバンド取付部６に時計バンド２を確実に取り付けることができる。
【００２９】
このように、この腕時計のバンド取付構造によれば、実施形態１と同様の作用効果があるほか、時計バンド２の嵌合凹部１０内に一体に形成された硬質の圧入凸部２１がバンド取付部６の係合凹部２０に圧入するので、バンド取付部６の下部先端側を上下に押し広げることができ、これによりバンド取付部６の第１係止突起部７と第２係止突起部８とに時計バンド２の嵌合凹部１０内の第１係合凹部１１と第２係合凹部１２とを確実に且つ強固に係合させることができると共に、硬質の圧入凸部２１をバンド取付部６の係合溝部２０に強固に取り付けることができる。このため、実施形態１のようなビス１５や、従来例のようなばね棒を用いずに、バンド取付部６に時計バンド２を確実に且つ強固に取り付けることができる。
【００３０】
なお、上記実施形態１、２では、腕時計ケース１に時計バンド２を取り付けるバンド取付構造に適用した場合について述べたが、必ずしも腕時計ケース１に時計バンド２を取り付けるバンド取付構造である必要はなく、腕に装着する機器ケースにバンドを取り付けるバンド取付構造にも適用することができる。
【図面の簡単な説明】
【００３１】
【図１】この発明のバンド取付構造を腕時計に適用した実施形態１の正面図である。
【図２】図１のＡ−Ａ矢視における断面図である。
【図３】図２の時計バンドを示した斜視図である。
【図４】図２の腕時計ケースを示した斜視図である。
【図５】図４の腕時計ケースを側方から見た斜視図である。
【図６】図５のＢ部を拡大して示した斜視図である。
【図７】図１の時計バンドに上方からの外力が加わる状態を示した要部の斜視図である。
【図８】図１の時計バンドに下方からの外力が加わる状態を示した要部の斜視図である。
【図９】この発明のバンド取付構造を腕時計に適用した実施形態２の断面図である。
【図１０】図９のバンド取付構造の要部を示した拡大断面図である。
【符号の説明】
【００３２】
１  腕時計ケース
２  時計バンド
６  バンド取付部
７  第１係止突起部
８  第２係止突起部
１０  嵌合凹部
１１  第１係合凹部
１２  第２係合凹部
１３  傾斜部
２０  係合溝部
２１  圧入凸部
【図１】
2008281344.tif 000003
【図２】
2008281344.tif 000004
【図３】
2008281344.tif 000005
【図４】
2008281344.tif 000006
【図５】
2008281344.tif 000007
【図６】
2008281344.tif 000008
【図７】
2008281344.tif 000009
【図８】
2008281344.tif 000010
【図９】
2008281344.tif 000011
【図１０】
2008281344.tif 000012